(57)【要約】 【課題】GPS受信機能と通信機能の両方を有しない移動通信端末においても、正確な位置情報を取得し、さらに、移動の目的地や立ち寄り地の情報をインターネットから取得・検索できる地図情報連携システムを提供することを提供することを課題とする。【解決手段】GPS受信装置２が標準装備されているカーナビゲーションシステム１と、携帯電話等の移動通信端末６との連携により、カーナビゲーションシステム１に標準装備されているGPS受信装置から取得した現在位置情報を、二次元バーコードに変換後、カーナビゲーションシステム１のディスプレイ装置４に表示し、移動通信端末６で、二次元バーコードを読み取り、位置情報へ変換することを特徴とする。【選択図】図１
2007212185.tif 000002
【特許請求の範囲】
【請求項１】
カーナビゲーションシステムと移動通信端末との連携により地図情報を取得する地図情報連携システムであって、
前記カーナビゲーションシステムは、現在位置情報を取得するGPS受信装置と、前記GPS受信装置を制御するGPS受信装置制御部と、操作対象をユーザに表示し、選択させるためのメニュー処理選択部と、選択されたメニューに従って、変換するための情報を生成する情報生成処理部と、情報を二次元バーコードに変換する二次元バーコード変換処理部と、変換した二次元バーコードをディスプレイ装置に表示する表示制御部と、目的地や店舗情報を格納する地図情報データベースと、走行ルートや所要時間、走行距離等の走行情報を格納する走行情報格納データベースとを備え、
前記移動通信端末は、前記ディスプレイ装置が表示した二次元バーコードを読み取る二次元バーコード読取装置を備える
ことを特徴とする地図情報連携システム。
【請求項２】
前記移動通信端末はインターネットに接続されている
ことを特徴とする地図情報連携システム。
【発明の詳細な説明】
【技術分野】
【０００１】
本発明は、カーナビゲーションシステムのディスプレイ装置に表示されている位置情報又は施設情報等を移動通信端末で取り扱う情報通知システムに関するものである。
【背景技術】
【０００２】
従来、現在位置情報を取得する方法としては、移動通信端末が通信を行う基地局を基準とする方法やGPS（Global  Positioning  System）機能を装備した移動通信端末による方法がある。
また、移動中、目的地や立ち寄り地の情報を調べたい場合、カーナビゲーションシステムが保持する情報で、店の電話番号や営業時間程度は知ることができる。さらに、最近、車での移動中にネットワークに接続し、必要な情報を取得する手段としての車載情報ネットワークシステムも利用できるようになった。
【０００３】
現在位置情報を取得して取り扱う技術として、例えば、特許文献１では、GPS受信機能を標準装備した専用の移動通信端末を用いることにより、利用者の所在位置を確認しながら、遭遇している緊急事態に即応した保護・介護サービスを選択し、最適なサービス提供者により迅速且つ的確なサービス提供を実現する保護・介護サービスの提供システムが開示されている。
【０００４】
【特許文献１】特開２００５−１７３８５４
【発明の開示】
【発明が解決しようとする課題】
【０００５】
しかしながら、GPS機能が装備されていない移動通信端末では、移動通信端末が通信を行う基地局の範囲であることしか特定できないため、現在位置情報を正確に把握することができない。
また、GPS機能付き移動通信端末は、カーナビゲーションシステムに装備されているGPS機能に比べて精度が低いという課題もある。
さらに、移動通信端末にGPS受信装置を装備することで、移動通信端末の製造コストの増加や、重量の増加という課題もある。
【０００６】
また、移動中、目的地や立ち寄り地の情報を調べたい場合、カーナビゲーションシステムが保持する情報で、店の電話番号や営業時間程度は知ることができるが、より詳細な情報を入手することはできない。また、上述したように車での移動中にネットワークに接続し、必要な情報を取得する手段としての車載情報ネットワークシステムはあるが、普及していない。
一般的に、位置情報の取得はカーナビゲーションシステム、店舗等の情報の取得・検索は移動通信端末と、使い分けられているのが現状である。
また、上記課題は、先に述べた特許文献１に記載の技術にも該当し、GPS受信機能及び送信機能の両方を兼ね備えた通信端末しか利用することができないという問題がある。
【０００７】
上記問題点に鑑み、本発明は、GPS受信機能と通信機能の両方を有しない移動通信端末においても、正確な位置情報を取得し、さらに、移動の目的地や立ち寄り地の情報をインターネットから取得・検索できる地図情報連携システムを提供することを提供することを課題とする。
【課題を解決するための手段】
【０００８】
請求項１に記載の本発明は、カーナビゲーションシステムと移動通信端末との連携により地図情報を取得する地図情報連携システムであって、前記カーナビゲーションシステムは、現在位置情報を取得するGPS受信装置と、前記GPS受信装置を制御するGPS受信装置制御部と、操作対象をユーザに表示し、選択させるためのメニュー処理選択部２０１と、選択されたメニューに従って、変換するための情報を生成する情報生成処理部２０２と、情報を二次元バーコードに変換する二次元バーコード変換処理部と、変換した二次元バーコードをディスプレイ装置に表示する表示制御部と、目的地や店舗情報を格納する地図情報データベースと、走行ルートや所要時間、走行距離等の走行情報を格納する走行情報格納データベースとを備え、前記移動通信端末は、前記ディスプレイ装置が表示した二次元バーコードを読み取る二次元バーコード読取装置を備えることを特徴とする地図情報連携システムである。
請求項２に記載の前記移動通信端末はインターネットに接続されていることを特徴とする地図情報連携システムである。
【発明の効果】
【０００９】
本発明の地図情報連携システムにより、GPS受信機能を標準装備するカーナビゲーションシステムから、位置情報を、二次元バーコードに変換し、カーナビゲーションシステムのディスプレイ装置に表示し、変換された二次元バーコードを移動通信端末で読み取ることにより、位置情報を得ることができる。
さらに、本発明の地図情報連携システムにより、移動の目的地や立ち寄り地の情報も移動通信端末へ容易に取り込むことができ、インターネットからより詳細な情報を取得できるようになる。
【発明を実施するための最良の形態】
【００１０】
以下に、本発明を実施するための最良の形態を図面に基づいて説明する。
【００１１】
図１は、本発明の地図情報連携システムの概略構成図である。本地図情報連携システムは、図１に示すように、位置情報を取得するカーナビゲーションシステム１と、位置情報を通知する移動通信端末６とから構成される。
カーナビゲーションシステム１は、GPS衛星から位置情報を取得するGPS受信装置２と、取得した位置情報を二次元バーコードに変換する二次元バーコード変換処理部３と、地図や自位置を表示するディスプレイ装置４とから構成される。
ディスプレイ装置４は、二次元バーコード化された位置情報を表示する二次元バーコード表示エリア５から構成される。
【００１２】
移動通信端末６は、二次元バーコード表示エリア５をカメラ等の二次元バーコードを読み取るための二次元バーコード読取受光装置７と、読み取った二次元バーコードを位置情報に変換するための二次元バーコード逆変換処理部８から構成される。
移動通信端末６は、基地局９を中継し、インターネット１０に接続されている。基地局９は、移動通信端末６を携帯電話に例えると、移動電話事情者の基地局に相当する。
【００１３】
図２は、カーナビゲーションシステム１の機能詳細ブロック図である。
図２に示すように、操作対象をユーザに表示し、選択させるためのメニュー処理選択部２０１、選択されたメニューに従って、変換するための情報を生成する情報生成処理部２０２、情報を二次元バーコードに変換する二次元バーコード変換処理部２０３、変換した二次元バーコードをディスプレイ装置２０９に表示する表示制御部２０４から構成される。
【００１４】
さらに、情報生成処理部２０２は、選択されたメニューに応じて、現在位置情報を対象とする場合はGPS受信装置制御部２０６によって制御されるGPS受信装置２０５から取得した位置情報を、目的地や店舗情報を対象とする場合は地図情報データベース（以下、「地図情報ＤＢ」と記す）２０７から取得した地図情報を、走行ルートや所要時間、走行距離を対象とする場合は走行情報格納データベース（以下、「走行情報格納ＤＢ」と記す）２０８から取得した走行情報を処理する。
二次元バーコード変換処理部２０３で変換されたバーコードは、ディスプレイ装置２０９中の二次元バーコード表示エリア２１０に表示される。
【００１５】
図３は、二次元バーコードの表示対象を選択する処理のフローチャート図である。
メニュー選択処理部２０１は、４つのメニュー一覧を表示するメニュー一覧表示部３０１と、それぞれ４つのメニューを表示処理するもの、即ち、現在位置情報表示処理部３０２、目的地情報表示処理部３０３、店舗情報表示処理部３０４及びルート・所要時間・走行距離情報表示処理部３０５から構成される。メニューは、現在位置情報表示、目的地情報表示、店舗情報表示、ルート・所要時間・走行距離情報表示から構成されている。各々のメニューは、図４〜図６において、詳細の処理を説明する。
【００１６】
図４は、現在位置情報を二次元バーコードに変換し、表示する処理のフローチャート図である。
メニュー一覧表示部３０１で、Ａ．現在位置情報メニューが選択されると、利用者に「現在位置情報を取得しますか？」の問い合わせメニューをディスプレイ装置２０９に表示し、利用者からの要求を受け付ける（ステップ４０１）。
【００１７】
利用者からの要求を受け付け、現在位置情報を取得するために、GPS受信装置制御部２０６に対して、最新の現在位置情報を取得する命令を出す。命令を受け取ったGPS受信装置制御部２０６は、GPS受信装置２０５を使用して、GPS衛星から現在位置情報を取得する（ステップ４０２）。
【００１８】
次に、利用者に対して、位置情報の表示タイプを確認する問い合わせメニューをディスプレイ装置２０９に表示する。表示タイプは、住所形式(例：東京都品川区東品川１−１−１)、又は、緯度・経度形式(例：東経１３５度、北緯３５度)の２種類とする。ステップ４０３で住所が選択された場合は地図情報ＤＢ２０７を検索し、住所情報への変換を行う。これに対し、緯度・経度が選択された場合は、緯度・経度情報への変換を行う（ステップ４０３、ステップ４０４、ステップ４０５、ステップ４０６）。
【００１９】
住所又は緯度・経度情報への変換が終わると、二次元バーコードへの変換後、二次元バーコード表示エリア２０１へ表示する(ステップ４０７、ステップ４０８)。
このようにして、GPS受信機能を標準装備するカーナビゲーションシステム１から、位置情報を、二次元バーコードに変換し、カーナビゲーションシステム１のディスプレイ装置４に表示することができる。
【００２０】
図５は、目的地・店舗情報を二次元バーコードに変換し、表示する処理のフローチャート図である。
メニュー一覧表示部３０１で、Ｂ．目的地情報メニュー、またはＣ．店舗情報メニューが選択されると、利用者に「目的地(店舗) 情報を取得しますか？」の問い合わせメニューをディスプレイ装置２０９に表示し、利用者からの要求を受け付ける（ステップ５０１）。目的地情報と店舗情報を処理するフローは同一であるため、ここでは、店舗情報を用いて説明する。
【００２１】
利用者からの要求を受け付け、店舗情報を取得するために、地図情報ＤＢ２０７を検索し、店舗の情報を検索し、ディスプレイ装置２０９に表示する。このとき、表示する情報としては、店舗名(施設名)、電話番号、住所、営業時間、ホームページのURLとする（ステップ５０２、ステップ５０３）。
そして、店舗情報の二次元バーコードへの変換後、二次元バーコード表示エリア２０１へ表示する(ステップ５０４、ステップ５０５)。
【００２２】
このようにして、GPS受信機能を標準装備するカーナビゲーションシステム１から、目的地情報又は店舗情報を、二次元バーコードに変換し、カーナビゲーションシステム１のディスプレイ装置４に表示することができる。
【００２３】
図６は、ルート・所要時間・走行距離の走行情報を二次元バーコードに変換し、表示する処理のフローチャート図である。
メニュー一覧表示部３０１で、Ｄ．走行情報メニューが選択されると、利用者に「走行情報を取得しますか？」の問い合わせメニューをディスプレイ装置２０９に表示し、利用者からの要求を受け付ける（ステップ６０１）。
【００２４】
利用者からの要求を受け付け、走行情報を取得するために、走行情報格納ＤＢ２０８を検索し、出発地から現在位置までの走行ルート、出発地からの現在位置までの走行距離、出発地から現在地までの所要時間を、ディスプレイ装置２０９に表示する。（ステップ６０２、ステップ６０３）。
そして、走行情報の二次元バーコードへの変換後、二次元バーコード表示エリア２０１へ表示する(ステップ６０４、ステップ６０５)。
なお本実施例では、出発地から現在位置までの走行ルート、走行距離、所要時間を走行情報格納ＤＢ２０８から取得して二次元バーコードへの変換するメニューについて説明したが、目的地情報表示処理部３０３で取得した目的地情報を元に現在位置からの走行ルート、走行距離、所要時間を算出して情報格納ＤＢ２０８に格納しておき、利用者からの要求に応じて、現在位置から目的地までの走行ルート、走行距離、所要時間を表示して二次元バーコードへの変換するメニューを設けてもよい。
【００２５】
このようにして、GPS受信機能を標準装備するカーナビゲーションシステム１において、ルート・所要時間・走行距離の走行情報を、二次元バーコードに変換し、カーナビゲーションシステム１のディスプレイ装置４に表示することができる。
二次元バーコード化された現在位置、目的地、店舗、ルート・所要時間・走行距離の各情報は、二次元バーコード読取受光装置７を経由して、移動携帯端末６に取り込まれ、利用することができるようになる。これは、GPS受信装置２０５を標準装備しない移動通信端末でも、これらの情報を正確に得ることができる。
さらに、移動通信端末６は、基地局９を中継し、インターネット１０に接続されていることから、インターネット１０でも各情報を利用することができるようになる。
【図面の簡単な説明】
【００２６】
【図１】本発明の地図情報連携システムの概略構成図である。
【図２】カーナビゲーションシステム１の機能詳細ブロック図である。
【図３】二次元バーコードの表示対象を選択する処理のフローチャート図である。
【図４】現在位置情報を二次元バーコードに変換し、表示する処理のフローチャート図である。
【図５】目的地・店舗情報を二次元バーコードに変換し、表示する処理のフローチャート図である。
【図６】ルート・所要時間・走行距離の走行情報を二次元バーコードに変換し、表示する処理のフローチャート図である。
【符号の説明】
【００２７】
１  カーナビゲーションシステム
２  GPS受信部
３  二次元バーコード変換処理部
４  ディスプレイ装置
５  二次元バーコード表示エリア
６  移動通信端末
７  二次元バーコード読取受光装置
８  二次元バーコード逆変換処理部
９  基地局
１０  インターネット
２０１  メニュー選択処理部
２０２  情報生成処理部
２０３  二次元バーコード変換処理部
２０４  表示制御部
２０５  GPS受信装置
２０６  GPS受信装置制御部
２０７  地図情報ＤＢ
２０８  走行情報格納ＤＢ
２０９  ディスプレイ表示部
２１０  二次元バーコード表示エリア
３０１  メニュー一覧表示部
３０２  現在位置情報表示処理部
３０３  目的地情報表示処理部
３０４  店舗情報表示処理部
３０５  ルート・所要時間・走行距離情報表示処理部
３０６  継続判定部
４０１  位置情報表示依頼受信判定
４０２  現在位置情報取得
４０３  表示タイプ判定
４０４  地図情報ＤＢ検索
４０５  住所情報変換
４０６  緯度・経度変換
４０７  二次元バーコード変換
４０８  二次元バーコード表示
５０１  目的地・店舗情報表示依頼受信判定
５０２  地図情報ＤＢ検索
５０３  目的地・店舗情報表示
５０４  二次元バーコード変換
５０５  二次元バーコード表示
６０１  走行情報表示依頼受信判定
６０２  走行情報格納ＤＢ検索
６０３  走行情報表示
６０４  二次元バーコード変換
６０５  二次元バーコード表示
【図１】
2007212185.tif 000003
【図２】
2007212185.tif 000004
【図３】
2007212185.tif 000005
【図４】
2007212185.tif 000006
【図５】
2007212185.tif 000007
【図６】
2007212185.tif 000008